(57)【特許請求の範囲】
【請求項１】
軸筒の前方部にキャップを装着することにより、軸筒の前方部に設けた筆記部を保護するキャップ式筆記具であって、
軸筒の外面に雄螺子部を形成し、且つ雄螺子部の後方に前方凸部および後方凸部を形成すると共に、前方凸部および後方凸部の間を嵌合用凹部とし、
キャップ本体の内面に雌螺子部を形成し、雌螺子部のキャップ本体の開口側に前記嵌合用凹部と凹凸嵌合する嵌合用凸部を形成し、
軸筒の前方部にキャップを装着した際には、軸筒の雄螺子部とキャップ本体の雌螺子部との螺子嵌合に伴い、キャップ本体の嵌合用凸部が軸筒の前方凸部を乗り越えて嵌合用凹部に嵌合し、軸筒の後方部にキャップを装着した際には、キャップ本体の嵌合用凸部が軸筒の後方凸部を乗り越えて嵌合用凹部に凹凸嵌合することを特徴とするキャップ式筆記具。
【請求項２】
前記前方凸部および後方凸部の軸筒の外面からの突出代が、後方凸部の突出代＞前方凸部の突出代、の関係にあるとしたことを特徴とする請求項１に記載のキャップ式筆記具。
【請求項３】
前記キャップ本体の開口端部の外周面に金輪の前方部をキャップ本体の外周面に固設し、後方部をキャップ本体の外周面との間に隙間を形成して配設したことを特徴とする請求項１または２に記載のキャップ式筆記具。
【請求項４】
前記前方凸部および後方凸部を雄螺子部の後方に隣接して形成し、キャップを軸筒の前方部および後方部に装着した際に、キャップの開口端部が前方凸部および後方凸部を掩蔽することを特徴とする請求項１ないし３に記載のキャップ式筆記具。
【発明の詳細な説明】
【０００１】
【発明の属する技術分野】
本発明は、軸筒の前方部にキャップを装着することにより、軸筒の前方部に設けた筆記部を保護するキャップ式筆記具に関する。
【０００２】
【従来の技術】
従来より、軸筒の前方部にキャップを装着する構造として、キャップの内面を軸筒の外面に摩擦力で係止させる圧入嵌合によるものや、キャップの内面および軸筒の外面に形成した凹部や凸部を嵌合させる凹凸嵌合や、キャップの内面および軸筒の外面に形成した雄螺子部や雌螺子部を螺合させる螺子嵌合が広く利用されている。特に、螺子嵌合によるキャップの装着構造は、他の装着構造に比べて強固に嵌合させることができるため、万年筆等の筆記具に多く利用されている。しかしながら、こうした螺子嵌合によるキャップの装着構造であっても、例えば筆記具を鞄に入れて、あるいは衣類の胸ポケット等に挿して携帯した場合、携帯時の振動によりキャップと軸筒の螺子嵌合が緩み、キャップが軸筒から外れて筆記部が露出し、筆記部からインキが飛散して鞄内あるいは胸ポケット内をインキで汚すことがままあった。
【０００３】
尚、螺子嵌合によるキャップの緩みを防止する構造としては、実開昭５７−２０１３８２号に記載されているように、万年筆本体の前方外周に雄螺子を形成すると共に、首部筒の先端部に環状突起を形成し、キャップ本体の内周面に形成した雌螺子を万年筆本体の雄螺子に螺子嵌合させると共に、キャップ本体の内部に固定した入れ子の掛止突起を環状突起に掛止させることにより、螺子嵌合の緩みを防止する構造のものが提案されている。
【０００４】
【発明が解決しようとする課題】
しかしながら、実開昭５７−２０１３８２号により提案された構造では、キャップ本体と万年筆以外にも入れ子を必要とし、構造が複雑になるという問題や、万年筆本体に雄螺子の他にも入れ子と掛止させる環状突起を形成する必要があるために、デザインが制約されてしまうという問題があった。また、筆記時にキャップを取り外し、キャップを軸筒の後方部へ凹凸嵌合で装着させる場合には、軸筒の後方部にも凹部や凸部を形成する必要があり、さらに、軸筒のデザインが制約されてしまうという問題があった。
【０００５】
本発明はこうした問題点を解消するために、軸筒の前方部にキャップを装着する際においては、携帯時の振動等の外力により、容易に螺子嵌合が緩むことがなく、また、軸筒の後方部にキャップを装着する際においては、容易にキャップが軸筒から脱落することがなく、さらに、軸筒のデザイン的な制約が少ないキャップ式筆記具を提供することを目的とする。
【０００６】
【課題を解決するための手段】
次に、前記課題を解決するために案出した本発明のキャップ式筆記具を説明する。
「１．軸筒の前方部にキャップを装着することにより、軸筒の前方部に設けた筆記部を保護するキャップ式筆記具であって、
軸筒の外面に雄螺子部を形成し、且つ雄螺子部の後方に前方凸部および後方凸部を形成すると共に、前方凸部および後方凸部の間を嵌合用凹部とし、
キャップ本体の内面に雌螺子部を形成し、雌螺子部のキャップ本体の開口側に前記嵌合用凹部と凹凸嵌合する嵌合用凸部を形成し、
軸筒の前方部にキャップを装着した際には、軸筒の雄螺子部とキャップ本体の雌螺子部との螺子嵌合に伴い、キャップ本体の嵌合用凸部が軸筒の前方凸部を乗り越えて嵌合用凹部に嵌合し、軸筒の後方部にキャップを装着した際には、キャップ本体の嵌合用凸部が軸筒の後方凸部を乗り越えて嵌合用凹部に凹凸嵌合することを特徴とする。
２．前記前方凸部および後方凸部の軸筒の外面からの突出代が、後方凸部の突出代＞前方凸部の突出代、の関係にあるとしたことを特徴とする。
３．前記キャップ本体の開口端部の外周面に金輪の前方部をキャップ本体の外周面に固設し、後方部をキャップ本体の外周面との間に隙間を形成して配設したことを特徴とする。
４．前記前方凸部および後方凸部を雄螺子部の後方に隣接して形成し、キャップを軸筒の前方部および後方部に装着した際に、キャップの開口端部が前方凸部および後方凸部を掩蔽することを特徴とする。」
【０００７】
本発明で、軸筒の前方部にキャップを装着した際に、軸筒の雄螺子部とキャップ本体の雌螺子部との螺子嵌合に伴い、キャップ本体の嵌合用凸部が軸筒の前方凸部を乗り越えて嵌合用凹部に凹凸嵌合するようにするのは、振動等の外力により螺子嵌合が緩みそうな状況においても、キャップ本体の嵌合用凸部が軸筒の前方凸部を乗り越えて嵌合用凹部に嵌合しているので、螺子嵌合の緩みを防ぐことができるという作用効果を奏するためである。また、軸筒の後方部にキャップを装着した際に、キャップ本体の嵌合用凸部が軸筒の後方凸部を乗り越え嵌合用凹部に凹凸嵌合するようにするのは、キャップが容易に軸筒から抜け落ちることを防ぐことができるという作用効果を奏するためである。
【０００８】
また、軸筒の外面に雄螺子部を形成し、且つ雄螺子部の後方に前方凸部および後方凸部を形成するのは、軸筒へ形成する両凸部が一カ所に集中するため、軸筒の前方と後方の両方向へ凸部を形成する場合に比べて、軸筒のデザイン的な制約を少なくすることができるためである。
【０００９】
また、前方凸部および後方凸部の軸筒の外面からの突出代を、後方凸部の突出代＞前方凸部の突出代、の関係にあるとするのは、軸筒の前方部にキャップを装着する際においては、嵌合用凸部と嵌合用凹部との嵌合は螺子嵌合の補助的な嵌合となるため、その嵌合代は小さくても螺子嵌合の緩み止めのとしての効果があると共に、嵌合代を小さくすることによりキャップの螺着時や螺脱時の操作を容易にするためである。さらには、軸筒の後方部にキャップを装着する際においては、嵌合用凸部と嵌合用凹部との嵌合は主要な嵌合となるため、その嵌合代を大きくしてキャップの脱落を防止する効果を大きくするためである。
【００１０】
また、装飾目的として金輪をキャップに取付ける場合には、キャップ本体の開口端部の外周面に金輪の前方部をキャップ本体の外周面に固設し後方部をキャップ本体の外周面との間に隙間を形成して配設すれば、凹凸嵌合の時にキャップ本体の開口端部の拡開が金輪に妨げられるることなく隙間で逃がすことができる。また、凹凸嵌合の時にキャップ本体の開口端部が金輪に当接するように設定した場合には嵌合力を助長させることができる。
【００１１】
また、前方凸部および後方凸部を雄螺子部の後方に隣接して形成し、キャップを軸筒の前方部および後方部に装着した際に、キャップの開口端部が前方凸部および後方凸部を掩蔽するようにするのは、軸筒へ形成する雄螺子部と両凸部とが一カ所に集中して形成され、いずれのキャップ装着時においても、軸筒に形成した前方凸部および後方凸部が見えなくなるので、デザイン性がさらに向上するという作用効果を奏するためである。
【００１２】
【発明の実施の形態】
次に図を参照しながら、本発明の実施の形態例を説明する。
本実施の形態例では、キャップ式万年筆を例にあげて説明を行うが、本発明は万年筆に限定されるものではなく様々な筆記具に用いることができる。尚、図の説明においては万年筆のペン先方向を前方と表現し、その反対方向は後方として表現する。また、図を理解し易くするため、軸筒は外観図で示し、キャップは断面図で示す。
【００１３】
図１は本発明の実施の形態例のキャップ式万年筆の説明図である。図１に示すように、万年筆１は、軸筒２とキャップ３から構成されている。また、軸筒２は前方にペン先２ａを備えており、中間部の外面に雄螺子部４を形成している。また、雄螺子部４の後方には円環形状の前方凸部５および後方凸部６を隣接して形成しており、前方凸部５および後方凸部６の間を嵌合用凹部７としている。尚、本実施の形態例では、前方凸部５と後方凸部６の軸筒の外面からの突出代の関係を後方凸部６の突出代＞前方凸部５の突出代としている。また、キャップ３の主要部材であるキャップ本体８の開口端部の内面には雌螺子部９を形成しており、雌螺子部９の後方には嵌合用凸部１０を内面円周上に複数個形成している。尚、キャップ３の前方部には、ポケット等に取り付けるためのクリップ１１をキャップ本体８と頭冠１２とで挟み込むようにして取り付けてある。
【００１４】
また、キャップ本体８の開口端部の外面には金輪１３を配設している。尚、金輪１３の前方部１３ａには雌螺子部１４を形成しており、キャップ本体８の開口端部の外面に形成した雄螺子部１５に、金輪１３の雌螺子部１４を螺子嵌合させて固設してある。尚、金輪１３の後方部１３ｂとキャップ本体８との間には隙間１６を形成している。
【００１５】
図２はキャップを軸筒の前方部および後方部に装着した状態を示す概念図である。図３は図２の要部拡大図である。尚、各々の装着状態を理解し易くするためにキャップの一部は省略してある。図に示すように、キャップ３を軸筒２の前方部に装着した状態では、キャップ３の雌螺子部９が軸筒２の雄螺子部４と螺子嵌合しており、また、キャップ３の嵌合用凸部１０が軸筒２の前方凸部５を乗り越えて嵌合用凹部７に嵌合している。また、キャップ３を軸筒２の後方部に装着した状態では、キャップ３の嵌合用凸部１０が軸筒２の後方凸部６を乗り越えて嵌合用凹部７に嵌合している。尚、キャップ３を軸筒２の前方部に装着した状態では、前方凸部５の突出代が小さいので、金輪１３の後方部１３ｂとキャップ本体８との間には隙間１６が形成されたままの状態となる。また、キャップ３を軸筒２の後方部に装着した状態では、後方凸部６の突出代が大きいので、キャップ本体８の開口端部が拡開して金輪１３に当接した状態となり、嵌合力を大きくすることができる。また、本実施の形態例では、図に示すように、キャップ３を軸筒２の前方部および後方部に装着した状態で、キャップ３の開口端部が前方凸部５および後方凸部６を掩蔽してデザイン性が向上している。
【００１６】
【発明の効果】
以上のように、本発明のキャップ式筆記具は、軸筒の前方部にキャップを装着する際においては、携帯時の振動等の外力により、容易に螺子嵌合が緩むことがなく、また、軸筒の前方部にキャップを装着する際においては、容易にキャップが軸筒から脱落することがなく、さらに、軸筒のデザイン的な制約が少ないものとなった。
【図面の簡単な説明】
【図１】  本発明の実施の形態例のキャップ式万年筆の説明図である。
【図２】  キャップを軸筒の前方部および後方部に装着した状態を示す概念図である。
【図３】  図２の要部拡大図である。
【符号の説明】
１…キャップ式万年筆、２…軸筒、３…キャップ、４…雄螺子部、
５…前方凸部、６…後方凸部、７…嵌合用凹部、８…キャップ本体、
９…雌螺子部、１０…嵌合用凸部、１１…クリップ、１２…頭冠、
１３…金輪、１３ａ…前方部、１３ｂ…後方部、
１４…雌螺子部１４、  １５…雄螺子部、１６…隙間。
【図１】
0003651887.tif 000002
【図２】
0003651887.tif 000003
【図３】
0003651887.tif 000004